(57)【要約】      （修正有）【課題】照明器具に取り付けられた後でも回転させることによって照明範囲を調整することができる発光ダイオードランプを提供する。【解決手段】収容室を有すると共に、壁部に架台が形成される、中空の筒状体である押し出し放熱部材１０と、前記押し出し放熱部材における架台と熱接触するように該架台に設置される光源モジュールと、前記押し出し放熱部材に回動可能に設置される絶縁台座３１と、該絶縁台座に環装される口金３２とを有する接続モジュール３０と、前記押し出し放熱部材における収容室に設置され、前記口金に接続される一組の入力導線と、前記光源モジュールに接続される一組の出力導線を有するアダプタとを備えることを特徴とする。【選択図】図１
0003163399.tif 000002
【実用新案登録請求の範囲】
【請求項１】
収容室を有すると共に、壁部に架台が形成される、中空の筒状体である押し出し放熱部材と、
前記押し出し放熱部材における架台と熱接触するように該架台に設置される光源モジュールと、
前記押し出し放熱部材に回動可能に設置される絶縁台座と、該絶縁台座に環装される口金とを有する接続モジュールと、
前記押し出し放熱部材における収容室に設置され、前記口金に接続される一組の入力導線と、前記光源モジュールに接続される一組の出力導線を有するアダプタと、を備えることを特徴とする照明角度が調整可能な発光ダイオードランプ。
【請求項２】
前記押し出し放熱部材における架台の一端に、横溝と縦溝を有する略T字状の凹溝が形成され、該縦溝の一端は該横溝と連通すると共に、他端は架台の縁と連通し、
前記接続モジュールは、絶縁台座と口金とを有し、その内該絶縁台座は、サイズが口金と対応する柱状体である外側端と、該外側端と同一軸上となるように外側端に延設され、外径が前記縦溝の幅と対応するネック部及び外径が前記縦溝の幅と対応し且つ該ネック部より大きい環状部を有する内側端とを具備し、該口金は、該絶縁台座の柱状体である外側端に環設され、該絶縁台座におけるネック部と環状部はそれぞれ、回動可能に縦溝と横溝に設置されることを特徴とする請求項１に記載の照明角度が調整可能な発光ダイオードランプ。
【請求項３】
前記押し出し放熱部材における収容室の底部に制動凸条が設けられると共に、前記絶縁台座における環状部の縁に、該制動凸条と対応する制動ブロックが突設されることを特徴とする請求項２に記載の照明角度が調整可能な発光ダイオードランプ。
【請求項４】
前記絶縁台座に軸方向に沿って穿通孔が貫通されると共に、前記アダプタの入力導線は、該穿通孔を通って口金に接続されることを特徴とする請求項３に記載の照明角度が調整可能な発光ダイオードランプ。
【請求項５】
前記光源モジュールは、押し出し放熱部材における架台と熱接触するように該架台に設置される回路板と、該回路板に装着される複数の発光ダイオードとを有することを特徴とする請求項４に記載の照明角度が調整可能な発光ダイオードランプ。
【請求項６】
前記押し出し放熱部材における架台の両側にそれぞれ、長手方向に沿って突起部が設けられると共に、該２つの突起部の外側にそれぞれ、長手方向に沿って係合凹溝が形成され、
更に断面が弧状を呈する板体であり、両側縁から内側へ係合凸条が突設されるマスクを備え、該マスクは、２つの係合凸条がそれそれ対応する係合凹溝に係合されるように前記押し出し放熱部材に設置されることを特徴とする請求項１ないし５の何れか一項に記載の照明角度が調整可能な発光ダイオードランプ。
【請求項７】
前記押し出し放熱部材における架台に、凹溝に隣接する２つの螺孔が形成され、前記マスクに更に、円盤状を呈すると共に、マスクの一端に当接される第１固定部材と、マスクの他端に当接するように押し出し放熱部材における架台に設置され、弧状のブロック体である第２固定部材が設けられ、その内該第１固定部材の周縁に、マスクの内側に設置される弧状の突縁が設けられ、該第２固定部材に押し出し放熱部材における螺孔と対応する２つの固定孔が形成されると共に、前記絶縁台座と環状部との間に弧状の位置決め突起が形成され、該各固定孔と対応する螺孔にそれぞれネジが螺合されることを特徴とする請求項６に記載の照明角度が調整可能な発光ダイオードランプ。
【請求項８】
前記押し出し放熱部材の両側壁部にそれぞれ複数のフィンが設けられると共に、押し出し放熱部材に、前記フィンの内側に位置する２つの係合溝が形成され、更に押し出し放熱部材における制動凸条に、長手方向に沿って貫通孔が形成され、
前記第１固定部材に、前記貫通孔と対応する穿孔が形成されると共に、前記２つの係合溝と対応する２つの係合プレートが設けられ、該穿孔と貫通孔にネジが螺合され、該２つの係合プレートはそれぞれ、対応する係合溝に係合されることを特徴とする請求項７に記載の照明角度が調整可能な発光ダイオードランプ。
【請求項９】
前記押し出し放熱部材の断面が半円形であることを特徴とする請求項８に記載の照明角度が調整可能な発光ダイオードランプ。
【考案の詳細な説明】
【技術分野】
【０００１】
本考案は、特に照明角度の調整が容易に行える発光ダイオードランプに関するものである。
【背景技術】
【０００２】
省エネにより、二酸化炭素の排出量を削減するという環境保護への意識が高まっている現在では、低消費電力と長寿命といったメリットを有する発光ダイオード（LED）は、次世代の光源として益々照明器具に使用されてきている。また、発光ダイオードは、従来の光源と比べ、電気特性や駆動方式において著しい差異があるが、より一層従来の光源との置き換えを進ませ且つ適用範囲を広げるため、発光ダイオードを使用した光源の内には、既存の照明器具にも使用できる電球型や蛍光灯型に製造される商品が出てきた。
【０００３】
その内、前記電球型の発光ダイオードには、光を反射するためのマスクが取り付けられるデスクランプ専用のものがあり、このような発光ダイオードは、発光ダイオードから発せられた光がマスクにより所定の方向へ反射し集中するので、照明範囲が一定の角度に限られるが、照明範囲においての照度が高いという利点があった。
【考案の概要】
【考案が解決しようとする課題】
【０００４】
しかしながら、前記従来の発光ダイオードは、口金をソケットに回して差し込むことによってデスクランプに取り付けるタイプのものであり、製造時に誤差が発生したものを使用すると、口金を奥まで締め付けた時、発光ダイオードの照明範囲がデスクランプの所定照明範囲からずれるので、デスクランプの所定照明範囲においての照度が低下してしまう。
【０００５】
また、照明として使用できるようにするために、発光ダイオードには通常、複数の発光ダイオードが使用されており、それらの発光ダイオードには、動作時に発する熱を放散するため、ダイカスト法による放熱部材が取り付けられているが、消費電力の異なる発光ダイオードによる規格の異なる放熱部材をすべてコストの高いダイカスト法により製造すると、発光ダイオード全体のコストが高くなってしまうという問題があった。
【０００６】
そこで、案出されたのが本考案であって、照明器具に取り付けた後でも回転させることにより照明範囲を調整することができる発光ダイオードランプを提供することを目的としている。
【０００７】
また、本考案の放熱部材は、押し出す時の長さを変えれば放熱面積を調節できるアルミニウム押し出し成形品を使用することから、異なる放熱需要に合わせて適切な放熱部材を容易に作ることができる発光ダイオード光源を提供することを目的としている。
【課題を解決するための手段】
【０００８】
本考案は上記の目的を達成するために、収容室を有すると共に、壁部に架台が形成される、中空の筒状である押し出し放熱部材と、該押し出し放熱部材における架台と熱接触するように該架台に設置される光源モジュールと、該押し出し放熱部材に回動可能に設置される絶縁台座と、該絶縁台座に環装される口金とを有する接続モジュールと、該押し出し放熱部材における収容室に設置され、該口金に接続される一組の入力導線と、該光源モジュールに接続される一組の出力導線を有するアダプターと、を備える照明角度が調整可能な発光ダイオードランプを提供するものである。
【０００９】
また、前記絶縁台座を押し出し放熱部材に回動可能に設置するために、該押し出し放熱部材における架台の一端に、横溝と縦溝を有する略T字状の凹溝が形成され、更に、前記接続モジュールは、絶縁台座と口金とを有し、その内該絶縁台座は、サイズが口金と対応する柱状体である外側端と、該外側端と同一軸上となるように外側端に延設され、外径が前記縦溝の幅と対応するネック部及び外径が前記縦溝の幅と対応し且つ該ネック部より大きい環状部を有する内側端とを具備し、該口金は、該絶縁台座の柱状体である外側端に環設され、該絶縁台座におけるネック部と環状部はそれぞれ、縦溝と横溝に設置される。
【００１０】
また、前記押し出し放熱部材における収容室の底部に制動凸条が設けられると共に、前記絶縁台座における環状部の縁に、該制動凸条と対応する制動ブロックが突設され、これによって絶縁台座に対する押し出し放熱部材の回動角度を制限することができる。
【００１１】
また、本考案では、前記アダプターの入力導線を、絶縁台座を通して口金に接続するために、前記絶縁台座に軸方向に沿って穿通孔が形成される。
また、前記光源モジュールは、押し出し放熱部材における架台と熱接触するように該架台に設置される回路板と、該回路板に装着される複数の発光ダイオードとを有する。
【００１２】
また、前記押し出し放熱部材に更にマスクを設置するために、押し出し放熱部材における架台の両側にそれぞれ長手方向に沿って突起部が形成されると共に、該２つの突起部の外側にそれぞれ長手方向に沿って係合凹溝が形成され、該押し出し放熱部材に設置されるマスクは、断面が弧状を呈する板体であり、更に、前記対応する係合凹溝にそれぞれ係合される係合凸条が両側縁から内側へ突設される。
【００１３】
また、前記マスクを押し出し放熱部材に固定し且つ絶縁台座からの押し出し放熱部材の離脱を防止するために、該押し出し放熱部材における架台に、凹溝に隣接する２つの螺孔が形成されると共に、前記マスクに更に、マスクの一端に当接される円盤状の第１固定部材と、マスクの他端に当接するように押し出し放熱部材における架台に設置され、弧状のブロック体である第２固定部材とが設けられ、その内該第１固定部材の周縁に、該マスクの内側に設置される弧状の突縁が設けられ、該第２固定部材に、押し出し放熱部材における螺孔と対応する２つの固定孔が形成されると共に、前記絶縁台座と環状部との間に弧状の位置決め突起が形成され、該各固定孔と対応する螺孔にネジが螺合される。
【００１４】
また、前記押し出し放熱部材の放熱効率を向上させると共に、第１固定部材を押し出し放熱部材に固定するために、押し出し放熱部材の両側壁にそれぞれ複数のフィンが設けられると共に、該押し出し放熱部材に、該フィンの内側に位置する２つの係合溝が形成され、更に押し出し放熱部材における制動凸条に、長手方向に沿って貫通孔が形成され、前記第１固定部材に、該貫通孔と対応する穿孔が形成されると共に、前記２つの係合溝と対応する２つの係合プレートが形成され、該穿孔と貫通孔にネジが螺合され、該２つの係合プレートはそれぞれ、対応する係合溝に係合される。
【００１５】
尚、前記押し出し放熱部材の断面は、半円形であることが好ましい。
【考案の効果】
【００１６】
本考案は上記の課題を解決するものであり、押し出し放熱部材が接続モジュールに対して回動可能であるので、口金とソケットに誤差が存在するかしないかに関わらず、押し出し放熱部材を回動することによって光源モジュールの照明範囲を所望の方向へ調整することができる。
【図面の簡単な説明】
【００１７】
【図１】本考案に係る照明角度が調整可能な発光ダイオードランプの斜視図である。
【図２】本考案に係る照明角度が調整可能な発光ダイオードランプの分解斜視図である。
【図３】本考案に係る照明角度が調整可能な発光ダイオードランプの側面視断面図である。
【図４】本考案に係る照明角度が調整可能な発光ダイオードランプの正面視断面図である。
【図５】本考案に係る照明角度が調整可能な発光ダイオードランプにおける押し出し放熱部材の他の実施例の断面図である。
【考案を実施するための形態】
【００１８】
以下、添付図面を参照して本考案の好適な実施の形態を詳細に説明する。尚、下記の実施の形態は、本考案の好適な実施の形態を示したものにすぎず、本考案の技術的範囲は、下記の実施の形態そのものに何ら限定されるものではない。
【００１９】
図１及び図２に示すように、本考案に係る照明角度が調整可能な発光ダイオードランプは、押し出し放熱部材１０と、光源モジュール２０と、接続モジュール３０と、アダプタ４０と、マスク５０と、第１固定部材５１と、第２固定部材５２とを備えるものである。
【００２０】
前記押し出し放熱部材１０は、アルミニウムやアルミニウム合金を押し出し加工により製造したものであり、その長さは、前記光源モジュール２０の消費電力量、即ち動作時の放熱量により調整でき、また、本実施の形態において押し出し放熱部材１０は、断面半円形の中空な筒状体であり、放熱面積を向上させるために、両側壁部にそれぞれ複数のフィン１１が設けられると共に、それらのフィン１１の内側に２つの係合溝１２が形成される。
【００２１】
また、前記押し出し放熱部材１０の上部に架台１３が形成され、該架台１３の一端に切欠１３１が形成されると共に、他端に凹溝１３２が形成され、その内該凹溝１３２は、横溝と、一端が該横溝と連通すると共に、他端が架台１３の縁と連通する縦溝とにより略T字状を呈し、更に、該押し出し放熱部材１０に、架台１３の下方に位置する、前記アダプタ４０を収容するための収容室１４が形成され、該収容室１４の底部に制動凸条１５が設けられると共に、該制動凸条１５に、前記第１固定部材５１を固定するための貫通孔１５０が長手方向に沿って形成される。
【００２２】
また、前記押し出し放熱部材１０における架台１３の両側にそれぞれ突起部１６が長手方向に沿って形成され、該２つの突起部１６の外側にそれぞれ、前記マスク５０を固定するための係合凹溝１６０が長手方向に沿って形成され、更に、該架台１３における凹溝１３２に隣接する部位に、前記第２固定部材５２を固定するための２つの螺孔１７が形成される。
【００２３】
前記光源モジュール２０は、回路板２１と、該回路板２１に装着される複数の発光ダイオード２２とを有し、その内該回路板２１は、前記押し出し放熱部材１０における架台１３と熱接触するように該架台１３に設置されるので、該光源モジュール２０の動作時に発する熱は、該押し出し放熱部材１０に伝導されて放散され、また、該架台１３の下方に位置するアダプタ４０により光源モジュール２０に動作電力が供給される。
【００２４】
前記アダプタ４０は、一組の入力導線４１と、一組の出力導線４２とを有し、その内該入力導線４１は前記接続モジュール３０に接続されると共に、該出力導線４２は、前記架台１３における切欠１３１を通って光源モジュール２０における回路板２１に接続される。
【００２５】
前記接続モジュール３０は、絶縁台座３１と口金３２とを有し、その内該絶縁台座３１は、サイズが口金３２と対応する柱状体である外側端と、該外側端と同一軸上となるように外側端から延設され、外径が前記縦溝の幅と対応するネック部３１１及び外径が前記縦溝の幅と対応し且つ該ネック部３１１より大きい環状部３１２を有する内側端とを具備し、該口金３２は、該絶縁台座３１の柱状体である外側端に環設され、該絶縁台座３１におけるネック部３１１と環状部３１２はそれぞれ、回動可能に縦溝と横溝に設置される。また、図３に示すように、前記環状部３１２の縁に、前記押し出し放熱部材１０における収容室１４内の制動凸条１５と対応する制動ブロック３１３が突設され、この構成により、該絶縁台座３１が押し出し放熱部材１０に対して回動し、該制動ブロック３１３が制動凸条１５に当接すると、その回動が停止するので、該絶縁台座３１の回動は３６０度以内に制限される。更に、図４に示すように、アダプタ４０の入力導線４１を、絶縁台座３１を通して口金３２に接続するために、前記絶縁台座３１に軸方向に沿って穿通孔３１４が貫通される。
【００２６】
図２及び図３に示すように、マスク５０は、断面が弧状を呈する板体であり、その両側縁から内側へ係合凸条５０１が突設され、該２つの係合凸条５０１は、押し出し放熱部材１０の横方向からそれそれ対応する係合凹溝に係合されるように押し出し放熱部材１０に設置される。
【００２７】
前記マスク５０には、押し出し放熱部材１０に固定するために、その両端に前記第１固定部材５１及び第２固定部材５２が設けられ、その内該第１固定部材５１は、円盤状を呈し、その上部周縁に、マスク５０の内側に設置される弧状の突縁５１１が設けられると共に、その側面に押し出し放熱部材１０の係合溝１２と対応する２つの係合プレート５１２が係合されている。更に、前記貫通孔１５０と対応する部位に穿孔５１３が形成され、前記第１固定部材５１は、該穿孔５１３と貫通孔１５０にネジ５１４が螺合されることにより、該マスク５０に当接するように押し出し放熱部材１０における接続モジュール３０と反対する端に固定される。
【００２８】
前記第２固定部材５２は、弧状のブロック体であり、押し出し放熱部材１０における螺孔１７と対応する２つの固定孔５２１を有し、該螺孔１７にネジ５２２が螺合されることにより、マスク５０の他端に当接するように押し出し放熱部材１０における架台１３に固定され、また、第２固定部材５２に、前記絶縁台座３１と環状部３１２との間に設置される弧状の位置決め突起５２３が形成されることにより、絶縁台座３１を回転可能に押し出し放熱部材１０に設置する。
【００２９】
上述したように、本考案においては、光源モジュール２０が接続モジュール３０に対して回動可能となる構成を有することから、照明器具に取り付けられた後でも押し出し放熱部材１０を回転させることによって光源モジュール２０の照明範囲を調整することができるので、より良好な照明効果を得ることができる。また、本考案は、押し出し加工による放熱部材を使用することから、たとえば図５に示すように、光源モジュール２０′における回路板２１′に発光ダイオード２２′がより多く装着され、放熱部材に高い放熱効率が要求される場合には、より長く押し出されて作られた広い放熱面積を有する押し出し放熱部材１０′を採用すればいいので、放熱部材の生産コストを低減することができる。
【符号の説明】
【００３０】
１０、１０′        押し出し放熱部材
１１        フィン
１２        係合溝
１３        架台
１３１      切欠
１３２      凹溝
１４        収容室
１５        制動凸条
１５０      貫通孔
１６        突起部
１６０      係合凹溝
１７        螺孔
２０、２０′        光源モジュール
２１、２１′        回路板
２２、２２′        発光ダイオード
３０        接続モジュール
３１        絶縁台座
３１１      ネック部
３１２      環状部
３１３      制動ブロック
３１４      穿通孔
３２        口金
４０        アダプタ
４１        出力導線
４２        入力導線
５０        マスク
５０１      係合凸条
５１        第１固定部材
５１１      突縁
５１２      係合プレート
５１３      穿孔
５１４      ネジ
５２        第２固定部材
５２１      固定孔
５２２      ネジ
５２３      位置決め突起
【図１】
0003163399.tif 000003
【図２】
0003163399.tif 000004
【図３】
0003163399.tif 000005
【図４】
0003163399.tif 000006
【図５】
0003163399.tif 000007